(57)【要約】【課題】差動通信の消費電力を低減可能な光学機器、交換レンズ、およびカメラ本体を提供すること。【解決手段】交換レンズと、交換レンズが着脱可能に取り付けられる本体装置と、を有し、交換レンズと本体装置との間には、差動信号を伝送する差動信号ラインが形成され、差動信号ラインにおいて、交換レンズおよび本体装置のうち一方は、設定可能な定電流値ごとに、各定電流値に対応する差動信号を交換レンズおよび本体装置のうち他方に送信する差動信号送信部を備え、差動信号送信部の定電流値は、各定電流値に対応する差動信号に基づくデータのうち他方が認識可能なデータに対応する定電流値のうち最小の定電流値に基づいて設定される。【選択図】図１
2018025659.tif 000002
【特許請求の範囲】
【請求項１】
交換レンズと、
前記交換レンズが着脱可能に取り付けられる本体装置と、を有し、
前記交換レンズと前記本体装置との間には、差動信号を伝送する差動信号ラインが形成され、
前記差動信号ラインにおいて、前記交換レンズおよび前記本体装置のうち一方は、設定可能な定電流値ごとに、各定電流値に対応する差動信号を前記交換レンズおよび前記本体装置のうち他方に送信する差動信号送信部を備え、
前記差動信号送信部の定電流値は、各定電流値に対応する差動信号に基づくデータのうち前記他方が認識可能なデータに対応する定電流値のうち最小の定電流値に基づいて設定されることを特徴とする光学機器。
【請求項２】
前記データは、テストパターンを有し、
前記他方は、前記テストパターンに基づいて前記データを認識可能であるか否かを判定することを特徴とする請求項１に記載の光学機器。
【請求項３】
前記一方は、前記他方から受信する前記データに基づく信号に基づいて前記他方が前記データを認識可能であるか否かを判定することを特徴とする請求項１に記載の光学機器。
【請求項４】
前記光学機器は、前記差動信号送信部の定電流値を設定するキャリブレーションモードを備えることを特徴とする請求項１から３のいずれか１項に記載の光学機器。
【請求項５】
前記キャリブレーションモードは、前記光学機器の電源が投入されたタイミングで実行されることを特徴とする請求項４に記載の光学機器。
【請求項６】
前記差動信号ラインでは、通信速度が切り替え可能であり、
前記キャリブレーションモードは、前記通信速度が切り替えられたタイミングで実行されることを特徴とする請求項４に記載の光学機器。
【請求項７】
前記本体装置は、操作手段を備え、
前記キャリブレーションモードは、前記操作手段により前記キャリブレーションモードが選択されたタイミングで実行されることを特徴とする請求項４に記載の光学機器。
【請求項８】
カメラ本体に着脱可能に取り付けられる交換レンズであって、
前記交換レンズと前記カメラ本体との間には、差動信号を伝送する差動信号ラインが形成され、
前記差動信号ラインにおいて、前記交換レンズは、設定可能な定電流値ごとに、各定電流値に対応する差動信号を前記交換レンズに送信する差動信号送信部を備え、
前記差動信号送信部の定電流値は、各定電流値に対応する差動信号に基づくデータのうち前記カメラ本体が認識可能なデータに対応する定電流値のうち最小の定電流値に基づいて設定されることを特徴とする交換レンズ。
【請求項９】
交換レンズが着脱可能に取り付けられるカメラ本体であって、
前記交換レンズと前記カメラ本体との間には、差動信号を伝送する差動信号ラインが形成され、
前記差動信号ラインにおいて、前記カメラ本体は、設定可能な定電流値ごとに、各定電流値に対応する差動信号を前記交換レンズに送信する差動信号送信部を備え、
前記差動信号送信部の定電流値は、各定電流値に対応する差動信号に基づくデータのうち前記交換レンズが認識可能なデータに対応する定電流値のうち最小の定電流値に基づいて設定されることを特徴とするカメラ本体。
【発明の詳細な説明】
【技術分野】
【０００１】
本発明は、光学機器、交換レンズ、およびカメラ本体に関する。
【背景技術】
【０００２】
近年、交換レンズからカメラ本体に送信するデータの量が増加している。これらのデータをカメラ本体に送信することで、種々のレンズのデータを用いて画像データの高度な補正を行うことができる。また、通信速度の高速化が進められ、通信方式として従来のシングルエンド方式の代わりに差動通信方式の採用が検討されている。差動通信方式は、ノイズ耐性が高いため低電圧化とともに高速、かつ低消費電力の通信を実現できる。例えば、ＬＶＤＳ（Ｌｏｗ−Ｖｏｌｔａｇｅ  Ｄｉｆｆｅｒｅｎｔｉａｌ  Ｓｉｇｎａｌｉｎｇ：ＡＮＳＩ／ＴＩＡ／ＥＩＡ−６４４−Ａ）では、公称３．５ｍＡの定電流を流せばよい。しかしながら、交換レンズとカメラ本体から構成される撮像システムでは、電源はバッテリーであり、３．５ｍＡでも負荷としては大きく、さらに電流を低減させる必要がある。
【０００３】
特許文献１では、差動信号を出力するドライバに接続される複数のレシーバと、各レシーバに設けられた複数の抵抗素子と、を有し、各抵抗素子の総抵抗値に応じてドライバの出力電流を変更可能な信号伝送回路を開示している。
【先行技術文献】
【特許文献】
【０００４】
【特許文献１】特開２００９−５５２８８号公報
【発明の概要】
【発明が解決しようとする課題】
【０００５】
しかしながら、特許文献１に開示された信号伝送回路では、ドライバの低消費電力化を目的としていないため、ドライバの負荷の増加に対する差動電圧レベルの低減を防ぐ場合、定電流値を上げるように変化させてしまう。
【０００６】
このような課題に鑑みて、本発明は、差動通信の消費電力を低減可能な光学機器、交換レンズ、およびカメラ本体を提供することを目的とする。
【課題を解決するための手段】
【０００７】
本発明の一側面としての光学機器は、交換レンズと、前記交換レンズが着脱可能に取り付けられる本体装置と、を有し、前記交換レンズと前記本体装置との間には、差動信号を伝送する差動信号ラインが形成され、前記差動信号ラインにおいて、前記交換レンズおよび前記本体装置のうち一方は、設定可能な定電流値ごとに、各定電流値に対応する差動信号を前記交換レンズおよび前記本体装置のうち他方に送信する差動信号送信部を備え、前記差動信号送信部の定電流値は、各定電流値に対応する差動信号に基づくデータのうち前記他方が認識可能なデータに対応する定電流値のうち最小の定電流値に基づいて設定されることを特徴とする。
【０００８】
また、本発明の他の一側面としての交換レンズは、カメラ本体に着脱可能に取り付けられる交換レンズであって、前記交換レンズと前記カメラ本体との間には、差動信号を伝送する差動信号ラインが形成され、前記差動信号ラインにおいて、前記交換レンズは、設定可能な定電流値ごとに、各定電流値に対応する差動信号を前記交換レンズに送信する差動信号送信部を備え、前記差動信号送信部の定電流値は、各定電流値に対応する差動信号に基づくデータのうち前記カメラ本体が認識可能なデータに対応する定電流値のうち最小の定電流値に基づいて設定されることを特徴とする。
【０００９】
また、本発明の他の一側面としてのカメラ本体は、交換レンズが着脱可能に取り付けられるカメラ本体であって、前記交換レンズと前記カメラ本体との間には、差動信号を伝送する差動信号ラインが形成され、前記差動信号ラインにおいて、前記カメラ本体は、設定可能な定電流値ごとに、各定電流値に対応する差動信号を前記交換レンズに送信する差動信号送信部を備え、前記差動信号送信部の定電流値は、各定電流値に対応する差動信号に基づくデータのうち前記交換レンズが認識可能なデータに対応する定電流値のうち最小の定電流値に基づいて設定されることを特徴とする。
【発明の効果】
【００１０】
本発明によれば、差動通信の消費電力を低減可能な光学機器、交換レンズ、およびカメラ本体を提供することができる。
【図面の簡単な説明】
【００１１】
【図１】本発明の実施形態に係るカメラシステムのブロック図である。
【図２】カメラ通信Ｉ／Ｆ部とレンズ通信Ｉ／Ｆ部の説明図である。
【図３Ａ】カメラＣＰＵのキャリブレーション処理を示すフローチャートである。
【図３Ｂ】レンズＣＰＵのキャリブレーション処理のフローチャートである。
【発明を実施するための形態】
【００１２】
以下、本発明の実施例について、図面を参照しながら詳細に説明する。各図において、同一の部材については同一の参照番号を付し、重複する説明は省略する。
【００１３】
図１は、本発明の実施形態に係るカメラシステム（光学機器）１のブロック図である。カメラシステム１は、交換レンズユニット（交換レンズ）２、および交換レンズユニット２が着脱可能に取り付けられるカメラボディ（本体装置）３を有する。
【００１４】
カメラボディ３は、カメラＣＰＵ３０（本体制御手段）、制御系電源３１、駆動系電源３２、カメラ通信Ｉ／Ｆ部３３（本体通信手段）、レンズ装着検出部３４、焦点検出ユニット３５、カメラマウント３ａ、および接点ブロック３ｂを有する。
【００１５】
カメラＣＰＵ３０は、カメラボディ３内の全ての制御を司り、ＲＡＭ、ＲＯＭ、またはＥＥＰＲＯＭ等のメモリを内蔵している。制御系電源３１は、焦点検出ユニット３５や測光部（不図示）等の電力消費量が比較的少なく安定した出力電圧を必要とする制御系回路に電力を供給する。駆動系電源３２は、交換レンズユニット２やシャッタ制御部（不図示）等の電力消費量が比較的多い駆動系回路に電力を供給する。カメラ通信Ｉ／Ｆ部３３は、焦点検出情報、測光情報、ＩＤ情報、および電源情報等の情報に関して、後述のレンズＣＰＵ２０と通信を行う。レンズ装着検出部３４は、交換レンズユニット２がカメラボディ３に取り付けられたか否かを検出する。焦点検出ユニット３５は、交換レンズユニット２からの光束を用いて被写体までのデフォーカス量を検出する、いわゆる位相差検出型の焦点検出ユニットである。カメラマウント３ａは、交換レンズユニット２を後述のレンズマウント２ａを介してカメラボディ３に機械的に着脱可能に取り付ける。接点ブロック３ｂは、複数の通信端子を有し、カメラマウント３ａに交換レンズユニット２を取り付けた際に後述の接点ブロック２ｂに結合される。
【００１６】
交換レンズユニット２は、レンズＣＰＵ２０（レンズ制御手段）、フォーカスレンズ２１、フォーカスレンズ駆動部２２、絞り羽根２３、絞り開放位置検出センサ２４、ステッピングモータ２５、および絞り駆動部２６を有する。交換レンズユニット２は、さらに、レンズ通信Ｉ／Ｆ部２７（レンズ通信手段）、レンズマウント２ａ、および接点ブロック２ｂを有する。
【００１７】
レンズＣＰＵ２０は、交換レンズユニット２内の全ての制御を司り、ＲＡＭ、ＲＯＭ、またはＥＥＰＲＯＭ等のメモリを内蔵している。フォーカスレンズ駆動部２２は、焦点調節を行うために、レンズＣＰＵ２０からの命令に従ってフォーカスレンズ２１を光軸に沿って駆動させる。絞り駆動部２６は、絞り値（Ｆ値）を制御するために、レンズＣＰＵ２０からの命令に従ってステッピングモータ２５を回転させることで絞り羽根２３を駆動させる。絞り開放位置検出センサ２４は、フォトインタラプタ等のセンサで構成され、絞り羽根２３が開放位置に位置するか否かを検出する。検出結果は、レンズＣＰＵ２０によって管理される。レンズ通信Ｉ／Ｆ部２７は、焦点検出情報、測光情報、ＩＤ情報、および電源情報等の情報に関して、カメラＣＰＵ３０と通信を行う。レンズマウント２ａは、カメラボディ３を、カメラマウント３ａを介して交換レンズユニット２に機械的に着脱可能に取り付ける。接点ブロック２ｂは、複数の通信端子を有し、レンズマウント２ａにカメラボディ３を取り付けた際に接点ブロック３ｂに結合される。
【００１８】
図２は、カメラ通信Ｉ／Ｆ部３３とレンズ通信Ｉ／Ｆ部２７の説明図である。本実施形態では、カメラ通信Ｉ／Ｆ部３３からレンズ通信Ｉ／Ｆ部２７への通信はクロック同期式のシンングルエンド通信、レンズ通信Ｉ／Ｆ部２７からカメラ通信Ｉ／Ｆ部３３への通信は調歩同期式の差動通信としている。
【００１９】
通常制御では、まず、カメラＣＰＵ３０は、クロック（ＬＣＬＫ）に同期してコマンドデータ（ＤＣＬ）をデータ用送信バッファ３３ｄ、およびデータ用受信バッファ２７ｇを介してレンズＣＰＵ２０に送信する。レンズＣＰＵ２０は、クロック用送信バッファ３３ｃ、およびクロック用受信バッファ２７ｆを介してクロックを受信するとともに、クロックに同期してコマンドデータを受信する。レンズＣＰＵ２０は、受信したコマンドデータに応じて、フォーカスレンズ２１または絞り羽根２３の駆動やカメラＣＰＵ３０へのレンズデータ（ＤＬＣ）の送信を制御する。レンズＣＰＵ２０がレンズデータをカメラＣＰＵ３０に送信する場合、レンズ通信Ｉ／Ｆ部２７の差動通信変換部（差動信号送信部）２７ａ〜２７ｅは、シングルエンド通信で送信された調歩同期式のシリアルデータを差動信号に変換する。差動通信変換部２７ａ〜２７ｅは、変換した差動信号をカメラＩ／Ｆ部３３に送信する。カメラ通信Ｉ／Ｆ部３３は、終端抵抗３３ａおよび差動信号受信バッファ３３ｂを介して受信した差動信号をシングルエンド信号に変換してカメラＣＰＵ３０に送信する。カメラＣＰＵ３０は、調歩同期式の受信処理によりレンズＣＰＵ２０から送信されたレンズデータを受信する。
【００２０】
ここで、差動通信変換部２７ａ〜２７ｅについて説明する。差動通信変換部２７ａ〜２７ｅは、定電流源２７ａとスイッチ２７ｂ〜２７ｅによって構成される。定電流源２７ａの第１の端子は、定電圧源（不図示）に接続される。スイッチ２７ｂ、２７ｄのそれぞれの第１の端子は、定電流源２７ａに接続される。スイッチ２７ｃ、２７ｅのそれぞれの第１の端子は、グランド（０Ｖ）に接続される。本実施形態では、シングルエンド信号の“１”に相当する信号を送信する場合、スイッチ２７ｂ、２７ｃをオンし、スイッチ２７ｄ、２７ｅをオフする。定電流源２７ａの電流値が３．５ｍＡ、終端抵抗３３ａの抵抗が１００Ωのとき、終端抵抗３３ａの両端の電圧値はＤＬＣ＋からＤＬＣ−にかけて０．３５Ｖとなる。このとき、差動信号受信バッファ３３ｂは、カメラＣＰＵ３０にシングルエンド信号の“１”を送信する。また、シングルエンド信号の“０”に相当する信号を送信する場合、スイッチ２７ｂ、２７ｃをオフし、スイッチ２７ｄ、２７ｅをオンする。終端抵抗３３ａの両端には、ＤＬＣ−からＤＬＣ＋にかけて０．３５Ｖの電圧が発生する。このとき、差動信号受信バッファ３３ｂは、カメラＣＰＵ３０にシングルエンド信号の“０”を送信する。
【００２１】
前述したように、差動通信では、定電流源２７ａおよび終端抵抗３３ａにより電圧が発生し、信号が伝えられる。差動通信で消費される電力を抑える場合、定電流源２７ａの定電流値を下げる、または終端抵抗３３ａの抵抗値を上げればよい。しかしながら、終端抵抗３３ａの抵抗値は、通信ラインとのインピーダンスマッチングのため、システム内において安易に変更することはできない。そこで、本実施形態では、カメラシステム１は、差動通信の消費電力を抑えるために、定電流源２７ａの定電流値を最適値に設定するキャリブレーション処理を行うキャリブレーションモードを備える。
【００２２】
図３Ａおよび図３Ｂのフローチャートを参照して、本実施形態のキャリブレーション処理について説明する。図３Ａは、カメラＣＰＵ３０のキャリブレーション処理を示すフローチャートである。図３Ｂは、レンズＣＰＵ２０のキャリブレーション処理のフローチャートである。本実施形態では、各キャリブレーション処理は、カメラＣＰＵ３０およびレンズＣＰＵ２０がメモリから読み出したプログラムにしたがって実行される。プログラムは、例えば、コンピュータに読み取り可能な記録媒体に記録してもよい。また、各フローチャートにおいて、レンズＣＰＵ２０のプログラムのフラグｌｅｎｓ＿ｆｌｇ＿ｃｕｒは、レンズＣＰＵ２０がテストパターンを送信するときに設定されている定電流値を表す。カメラＣＰＵ３０のプログラムのフラグｃａｍ＿ｆｌｇ＿ｃｕｒは、カメラＣＰＵ３０が受信したテストパターンが送信されたときに設定されている定電流値を表す。また、カメラＣＰＵ３０のプログラムのフラグｃｏｎｓｔ＿ｃｕｒは、キャリブレーション処理で決定され、通常制御で設定される定電流値を表す。各フラグの値“０”、“１”、“２”、“３”、“４”はそれぞれ、定電流値が１．５ｍＡ、２．０ｍＡ、２．５ｍＡ、３．０ｍＡ、３．５ｍＡを意味する。
【００２３】
まず、カメラＣＰＵ３０のキャリブレーション処理について説明する。本実施形態では、カメラボディ３の電源がオンされると、カメラＣＰＵ３０およびレンズＣＰＵ２０に電源が供給され、カメラシステム１はキャリブレーションモードになる。同時に、カメラＣＰＵ３０のキャリブレーション処理が開始される。なお、本実施形態では、カメラボディ３に電源が投入されたタイミングでキャリブレーション処理を開始しているが、本発明はこれに限定されない。キャリブレーション処理は、交換レンズユニット２がカメラボディ３に取り付けられ、電源が供給されたタイミングで開始されてもよい。また、カメラボディ３に設けられた操作部（不図示）の設定メニューでキャリブレーションモードが選択されたタイミングで開始されてもよい。また、差動通信の通信速度を切り替え可能な構成である場合、通信速度が変化したタイミングで開始されてもよい。
【００２４】
ステップＳ３０１では、カメラＣＰＵ３０は、フラグｃａｍ＿ｆｌｇ＿ｃｕｒを“０”に設定する。
【００２５】
ステップＳ３０２では、カメラＣＰＵ３０は、キャリブレーション処理のスタートを指示するキャリブレーションコマンドデータをレンズＣＰＵ２０に送信する。
【００２６】
ステップＳ３０３では、カメラＣＰＵ３０は、レンズＣＰＵ２０からテストパターンおよびフラグｌｅｎｓ＿ｆｌｇ＿ｃｕｒの値を含むデータを受信するとともに、データを正しく受信したか否か（認識可能であるか否か）を判定する。本実施形態では、カメラＣＰＵ３０がデータを正しく受信したか否かは、受信したテストパターンがあらかじめ設定されている所定のテストパターンであるか否かによって判定される。正しく受信した場合、ステップＳ３０４に進み、正しく受信しなかった場合、ステップＳ３０３へのループを繰り返す。本実施形態では、カメラＣＰＵ３０がデータを正しく受信したか否かは、カメラＣＰＵ３０が受信したテストパターンに基づいて判定しているが、レンズＣＰＵ２０がカメラＣＰＵ３０からデータに対するチェックサムデータを返信させることで判定してもよい。
【００２７】
ステップＳ３０４では、カメラＣＰＵ３０は、フラグｃａｍ＿ｆｌｇ＿ｃｕｒをステップＳ３０３で受信したフラグｌｅｎｓ＿ｆｌｇ＿ｃｕｒの値に設定する。
【００２８】
ステップＳ３０５では、カメラＣＰＵ３０は、ステップＳ３０４で設定されたフラグｃａｍ＿ｆｌｇ＿ｃｕｒの値を、テストパターンを正しく受信できた値として記憶する。
【００２９】
ステップＳ３０６では、カメラＣＰＵ３０は、カメラ定電流値ｃａｍ＿ｆｌｇ＿ｃｕｒの値が“４”に設定されているか否かを判定する。設定されている場合、ステップＳ３０７に進み、設定されていない場合、ステップＳ３０３に戻る。
【００３０】
ステップＳ３０７では、カメラＣＰＵ３０は、フラグｃｏｎｓｔ＿ｃｕｒの値をステップＳ３０４で記憶したフラグｃａｍ＿ｆｌｇ＿ｃｕｒのうち最も小さい値に“１”を加えた値に設定する。すなわち、本実施形態では、テストパターンを正しく受信できたときの定電流値のうち最小の定電流値ではなく、最小の定電流値に１段階のマージンを加えた値を最適な定電流値として設定する。なお、最小の定電流値を最適な定電流値としてもよい。
【００３１】
ステップＳ３０８では、カメラＣＰＵ３０は、フラグｃｏｎｓｔ＿ｃｕｒの値が“４”より大きいか否かを判定する。大きい場合、Ｓ３０９に進み、小さい場合、ステップＳ３１０に進む。
【００３２】
ステップＳ３０９では、カメラＣＰＵ３０は、フラグｃｏｎｓｔ＿ｃｕｒの値を“４”に設定する。
【００３３】
ステップＳ３１０では、カメラＣＰＵ３０は、フラグｃｏｎｓｔ＿ｃｕｒの値をレンズＣＰＵ２０に送信する。
【００３４】
ステップＳ３１１は、カメラＣＰＵ３０は、レンズＣＰＵ２０からキャリブレーション完了通知データを受信したか否かを判定する。受信した場合、カメラＣＰＵ３０は、キャリブレーション処理を完了して、通常制御を行う。受信しない場合、ステップＳ３１１へのループを繰り返す。
【００３５】
なお、ステップＳ３０３やステップＳ３１１において、待ち時間が所定時間を経過した場合は通信に異常があったとしてエラー処理を行う。
【００３６】
次に、レンズＣＰＵ２０のキャリブレーション処理について説明する。レンズＣＰＵ２０は、カメラＣＰＵ３０からキャリブレーションコマンドデータを受信することでキャリブレーション処理を開始する。
【００３７】
ステップＳ４０１では、レンズＣＰＵ２０は、フラグｌｅｎｓ＿ｆｌｇ＿ｃｕｒの値を“０”に設定する。
【００３８】
ステップＳ４０２では、レンズＣＰＵ２０は、定電流源２７ａの定電流値をフラグｌｅｎｓ＿ｆｌｇ＿ｃｕｒの値に対応する定電流値に設定する。
【００３９】
ステップＳ４０３では、レンズＣＰＵ２０は、テストパターンおよびフラグｌｅｎｓ＿ｆｌｇ＿ｃｕｒの値を含むデータをカメラＣＰＵ３０に送信する。
【００４０】
ステップＳ４０４では、レンズＣＰＵ２０は、フラグｌｅｎｓ＿ｆｌｇ＿ｃｕｒの値をインクリメントする。
【００４１】
ステップＳ４０５では、レンズＣＰＵ２０は、フラグｌｅｎｓ＿ｆｌｇ＿ｃｕｒの値が“５”より大きいか否かを判定する。大きい場合、ステップＳ４０６に進み、小さい場合、ステップＳ４０２に戻る。
【００４２】
ステップＳ４０６では、レンズＣＰＵ２０は、カメラＣＰＵ３０からフラグｃｏｎｓｔ＿ｃｕｒの値を受信したか否かを判定する。受信した場合、ステップＳ４０７に進み、受信しない場合、ステップＳ４０８に進む。
【００４３】
ステップＳ４０７では、レンズＣＰＵ２０は、定電流源２７ａの定電流値をフラグｃｏｎｓｔ＿ｃｕｒの値に対応する定電流値に設定する。
【００４４】
ステップＳ４０８では、レンズＣＰＵ２０は、カメラＣＰＵ３０にキャリブレーション完了通知データをカメラＣＰＵ３０に送信する。送信後、レンズＣＰＵ２０は、キャリブレーション処理を完了して、通常制御を行う。
【００４５】
なお、ステップＳ４０５やステップＳ４０６において、待ち時間が所定時間を経過した場合は通信に異常があったとしてエラー処理を行う。
【００４６】
本実施形態では設定可能な定電流値を５つとしているが、本発明はこれに限定されない。また、設定可能な定電流値は、構成に応じて本実施形態とは異なる他の値としてもよい。また、本実施形態では、カメラＣＰＵ３０からレンズＣＰＵ２０に指示する（信号を送信する）ことで、レンズＣＰＵ２０からテストパターンを送信するようにしているが、その主従が逆になってもよい。
【００４７】
また、本実施形態では、レンズ通信Ｉ／Ｆ部２７からカメラ通信Ｉ／Ｆ部３３への通信を差動通信としているが、カメラ通信Ｉ／Ｆ部３３からレンズ通信Ｉ／Ｆ部２７への通信を差動通信としてもよい。その場合、カメラ通信Ｉ／Ｆ部３３が差動信号変換部を備えればよい。このとき、レンズＣＰＵ２０は本実施形態のカメラＣＰＵ３０のキャリブレーション処理に基づくキャリブレーション処理を行い、カメラＣＰＵ３０は本実施形態のレンズＣＰＵ２０のキャリブレーション処理に基づくキャリブレーション処理を行えばよい。また、双方の通信を差動通信としてもよい。その場合、差動信号ラインごとに、レンズ通信Ｉ／Ｆ部２７およびカメラ通信Ｉ／Ｆ部３３のうち一方が差動信号変換部を備え、他方が差動信号変換部から差動信号を受信する構成とすればよい。
【００４８】
以上、本発明の好ましい実施形態について説明したが、本発明はこれらの実施形態に限定されず、その要旨の範囲内で種々の変形及び変更が可能である。
【符号の説明】
【００４９】
１    カメラシステム（光学機器）
２    交換レンズユニット（交換レンズ）
３    カメラボディ（本体装置）
２７  差動通信変換部(差動信号送信部)
【図１】
2018025659.tif 000003
【図２】
2018025659.tif 000004
【図３Ａ】
2018025659.tif 000005
【図３Ｂ】
2018025659.tif 000006